(57)【特許請求の範囲】
【請求項１】
電源部から供給される直流電源によって充電されるＤＣリンクキャパシタ；
前記電源部の出力端と連結され、前記電源部から出力されるか前記電源部へ供給される第１の遮断大きさ以上の電流を遮断するヒューズ部；
前記ヒューズ部のポジティブ端子と前記ＤＣリンクキャパシタのポジティブ端子とを連結する第１リレー、及び前記ヒューズ部のネガティブ端子と前記ＤＣリンクキャパシタのネガティブ端子とを連結する第２リレー、とを含むリレー部；
前記第１リレーと並列に連結され、前記電源部から供給される直流電源を用いて前記ＤＣリンクキャパシタを充電させる初期充電部；及び、
前記ＤＣリンクキャパシタが充電されると、前記電源部から供給される直流電源を交流電源に変換して負荷端に供給する電力変換部を含み、
前記リレー部は、前記第１リレー又は前記第２リレーに流れる第２の遮断大きさ以上の電流を遮断し、
前記第１リレーは、前記電源部から供給される前記第２の遮断大きさ以上の電流を遮断し、
前記第２リレーは、前記電源部へ供給される前記第２の遮断大きさ以上の電流を遮断する、電力変換装置。
【請求項２】
前記ヒューズ部は、
前記電源部のポジティブ端子と直列に連結された第１ヒューズ；及び、
前記電源部のネガティブ端子と直列に連結された第２ヒューズ、とを含む、
請求項１に記載の電力変換装置。
【請求項３】
前記第１の遮断大きさは、
前記ヒューズ部の遮断特性によって決定され、
前記第２の遮断大きさは、
前記リレー部の遮断特性によって決定される、
請求項１に記載の電力変換装置。
【請求項４】
前記初期充電部は、
前記第１リレーがオフ状態であり、前記第２リレーがオン状態であれば、前記電源部から供給される直流電源を用いて前記ＤＣリンクキャパシタを充電させる、
請求項１に記載の電力変換装置。
【請求項５】
前記初期充電部は、
前記電源部から供給される直流電源を断続する初期充電リレー；及び、
前記電源部から供給される直流電源を降下する初期充電抵抗、とを含む、
請求項１に記載の電力変換装置。
【請求項６】
前記ＤＣリンクキャパシタが充電されると、前記初期充電リレーは、ターンオフされ、前記第１リレーは、ターンオンされる、
請求項５に記載の電力変換装置。
【請求項７】
前記電力変換部と前記負荷端の間に直列に連結され、前記負荷端から供給される第３の遮断大きさ以上の電流を遮断するＡＣヒューズ部をさらに含む、
請求項１に記載の電力変換装置。
【発明の詳細な説明】
【技術分野】
【０００１】
本発明は、電力変換装置に関するものであって、より詳細には、ヒューズとリレーの保護協助を利用して過電流を遮断する電力変換装置に関する。
【背景技術】
【０００２】
電力変換装置は、バッテリ又は太陽電池で発生した直流電力を交流電力に変換して系統及び負荷へ供給するか、系統から供給される交流電力を直流電力に変換してバッテリに貯蔵する装置である。
【０００３】
図１は、従来の電力変換装置１を示した図面である。以下では、図１を参照して従来の電力変換装置１が過電流を防ぐ方法を具体的に説明する。
【０００４】
図１を参照すれば、従来の電力変換装置１は、バッテリ１０、初期充電リレー２１、初期充電抵抗２２、直流遮断器（Ｄｉｒｅｃｔ Ｃｕｒｒｅｎｔ Ｃｉｒｃｕｉｔ Ｂｒｅａｋｅｒ；ＤＣＣＢ、３０）、ＤＣリンクキャパシタ４０、及びインバータ５０を含めて構成される。
【０００５】
従来の電力変換装置１は、初期充電リレー２１及び直流遮断器３０をそれぞれターンオン及びターンオフさせ、バッテリ１０の直流電源を用いてＤＣリンクキャパシタ４０を充電させる。より具体的には、電力変換装置１は、初期充電抵抗２２を介して降下したバッテリ１０の直流電源をＤＣリンクキャパシタ４０に供給することで、ＤＣリンクキャパシタ４０を充電させる。
【０００６】
その次、従来の電力変換装置１は、初期充電リレー２１及び直流遮断器３０をそれぞれターンオフ及びターンオンさせ、インバータ５０にＰＷＭ（Ｐｕｌｓｅ Ｗｉｄｔｈ Ｍｏｄｕｌａｔｉｏｎ）信号を提供して、バッテリ１０の電源を交流電源に変換して負荷端６０に供給する。
【０００７】
このとき、直流遮断器３０は、バッテリ１０から出力される直流電流の大きさを測定し、測定された電流の大きさが一定大きさ以上であれば、該電流を遮断して、負荷端６０へ過電流が供給されないようにする。
【０００８】
しかし、従来の電力変換装置１に用いられる直流遮断器３０は、サイズが大きく、値段が非常に高いという短所がある。のみならず、大容量の電力変換装置１には、自動オン／オフ動作が可能な直流遮断器３０が用いられており、このような直流遮断器３０を制御するために高価の電動開閉器（Ｍｏｔｏｒ  Ｏｐｅｒａｔｏｒ）をさらに備えなければならないため、全体システムの構築費用が上昇する問題点がある。
【発明の概要】
【発明が解決しようとする課題】
【０００９】
本発明は、遮断特性を互いに異にするヒューズとリレーを用いて従来の直流遮断器を取り替えることにより、回路を構成するための費用を減らすことができ、回路のサイズを減らせる電力変換装置を提供することを目的とする。
【００１０】
また、本発明は、電源部で発生した過電流の遮断動作を行うリレーと、負荷端で発生した過電流の遮断動作を行うリレーを互いに異にすることで、リレーの遮断回数を減らせる電力変換装置を提供することを目的とする。
【００１１】
本発明の目的は、以上に言及した目的に制限されないし、言及していない本発明の他の目的及び長所は、下記の説明によって理解されるし、本発明の実施形態によってより明らかに理解される。また、本発明の目的及び長所は、特許請求の範囲に示した手段及びその組み合わせによって実現できることが分かりやすい。
【課題を解決するための手段】
【００１２】
かかる目的を達成するために本発明の一実施形態による電力変換装置は、電源部から供給される直流電源によって充電されるＤＣリンクキャパシタ、前記電源部の出力端と連結され、前記電源部から出力されるか前記電源部へ供給される第１の遮断大きさ以上の電流を遮断するヒューズ部、前記ヒューズ部のポジティブ端子と前記ＤＣリンクキャパシタのポジティブ端子とを連結する第１リレー、及び前記ヒューズ部のネガティブ端子と前記ＤＣリンクキャパシタのネガティブ端子とを連結する第２リレー、とを含むリレー部、前記第１リレーと並列に連結され、前記電源部から供給される直流電源を用いて前記ＤＣリンクキャパシタを充電させる初期充電部、及び前記ＤＣリンクキャパシタが充電されると、前記電源部から供給される直流電源を交流電源に変換して負荷端に供給する電力変換部、とを含むことを特徴とする。
【発明の効果】
【００１３】
前述したような本発明によれば、遮断特性を互いに異にするヒューズとリレーを用いて従来の直流遮断器を取り替えることにより、回路を構成するための費用を減らすことができ、回路のサイズを減らせる効果がある。
【００１４】
また、本発明によれば、電源部で発生した過電流の遮断動作を行うリレーと、負荷端で発生した過電流の遮断動作を行うリレーを互いに異にすることで、リレーの遮断回数を減らせる効果がある。
【図面の簡単な説明】
【００１５】
【図１】従来の電力変換装置を示した図面。
【図２】本発明の一実施形態による電力変換装置の概略図。
【図３】図２に示す電力変換装置の構成を概略的に示した図面。
【図４】図２に示す電力変換装置の回路図。
【図５】電源部から供給される直流電源を用いてＤＣリンクキャパシタを充電する様子を示した図面。
【図６】電源部から供給される直流電源を交流電源に変換して負荷端に供給する様子を示した図面。
【図７】本発明の一実施形態によるヒューズとリレーの遮断特性（Ｔｉｍｅ−Ｃｕｒｒｅｎｔ  Ｃｕｒｖｅ）を示したグラフ。
【発明を実施するための形態】
【００１６】
前述した目的、特徴及び長所は、添付の図面を参照して詳細に後述され、これによって本発明が属する技術分野における通常の知識を有する者が本発明の技術的思想を容易に実施することができる。本発明を説明するにおいて、本発明に係る公知技術に対する具体的な説明が本発明の要旨を曖昧にすると判断される場合には詳細な説明を省略する。以下では、添付の図面を参照して本発明による好ましい実施形態を詳説する。図面における同じ参照符号は、同一又は類似の構成要素を示すことに使われる。
【００１７】
図２は、本発明の一実施形態による電力変換装置１００の概略図である。図２を参照すれば、本発明の一実施形態による電力変換装置１００は、ＤＣリンクキャパシタ１１０、ヒューズ部１２０、リレー部１３０、初期充電部１４０、及び電力変換部１５０を含んでいてもよい。図２に示した電力変換装置１００は、一実施形態によるものであり、その構成要素が図２に示した実施形態に限定されるものではなく、必要によって一部の構成要素を付加、変更又は削除することができる。
【００１８】
図３は、図２に示す電力変換装置１００の構成を概略的に示した図面であり、図４は、図２に示す電力変換装置１００の回路図である。以下では、図２〜図４を参照して、電力変換装置１００とこれを構成する各構成要素を具体的に説明する。
【００１９】
図３を参照すれば、ＤＣリンクキャパシタ１１０は、電源部２１０から供給される直流電源によって充電することができる。電源部２１０は、直流電源を供給する手段としてバッテリ、燃料電池、太陽電池等を含んでいてもよい。
【００２０】
ＤＣリンクキャパシタ１１０は、後述する電力変換部１５０に直流電圧を供給するために、電源部２１０から供給される直流電源を一定大きさの電圧で貯蔵することができる。
【００２１】
このため、ＤＣリンクキャパシタ１１０と電源部２１０の間には、昇圧／降圧回路であるＤＣ／ＤＣコンバータ、スイッチングレギュレータ等がさらに含まれてもよい。このとき、ＤＣリンクキャパシタ１１０は、ＤＣ／ＤＣコンバータ、スイッチングレギュレータ等から出力される出力電圧を平滑化して、一定大きさの電圧を貯蔵することができる。
【００２２】
ヒューズ部１２０は、電源部２１０の出力端と連結され、電源部２１０から出力されるか電源部２１０へ供給される第１の遮断大きさ以上の電流を遮断することができる。言い換えれば、ヒューズ部１２０は、ヒューズ部１２０に流れる電流が第１の遮断大きさ以上であれば、該電流を遮断することができる。
【００２３】
ここで第１の遮断大きさは、ヒューズ部１２０の遮断特性によって決定されてもよいが、遮断特性については後述する。
【００２４】
ヒューズ部１２０は、一定大きさ以上の電流が流れる場合、該電流によって発生する熱により切れる一つ以上のヒューズを含めて構成されてもよい。図４を参照すれば、ヒューズ部１２０は、電源部２１０のポジティブ端子（＋）と直列に連結された第１ヒューズ１２１、及び電源部２１０のネガティブ端子（−）と直列に連結された第２ヒューズ１２２、とを含んでいてもよい。
【００２５】
これにより、第１ヒューズ１２１は、第１ヒューズ１２１を介して流れる電流が第１の遮断大きさ以上であれば、切れ得る。また、第２ヒューズ１２２は、第２ヒューズ１２２を介して流れる電流が第１の遮断大きさ以上であれば、切れ得る。
【００２６】
上述した第１ヒューズ１２１及び第２ヒューズ１２２は、ＤＣヒューズ又はＡＣヒューズであってもよい。ただし、ヒューズ部１２０は、直流電源を供給する電源部２１０と直列に連結されるため、第１ヒューズ１２１及び第２ヒューズ１２２は、ＤＣヒューズであることが好ましい。
【００２７】
さらに図４を参照すれば、リレー部１３０は、ヒューズ部１２０のポジティブ端子とＤＣリンクキャパシタ１１０のポジティブ端子とを連結する第１リレー１３１、及びヒューズ部１２０のネガティブ端子とＤＣリンクキャパシタ１１０のネガティブ端子とを連結する第２リレー１３２、とを含んでいてもよい。
【００２８】
第１リレー１３１及び第２リレー１３２は、内部に電磁石（例えば、コイル）を含んでいてもよく、電磁石で発生する磁場によってオン／オフされてもよい。電磁石は、制御モジュール（未図示）で提供される励磁（ｅｘｃｉｔａｔｉｏｎ）信号により発生するため、リレー部１３０を構成する各リレーの動作状態は、制御モジュールによって制御されてもよい。
【００２９】
一方、リレー部１３０は、制御モジュールの制御に関係なく、第１リレー１３１又は第２リレー１３２に流れる第２の遮断大きさ以上の電流を遮断することができる。
【００３０】
言い換えれば、第１リレー１３１は、第１リレー１３１を介して流れる電流が第２の遮断大きさ以上であれば、該電流を遮断することができる。また、第２リレー１３２は、第２リレー１３２を介して流れる電流が第２の遮断大きさ以上であれば、該電流を遮断することができる。
【００３１】
リレー部１３０は、リレー部１３０を介して流れる電流が第２の遮断大きさ以上であれば、自動で該電流を遮断することができる。
【００３２】
電源部２１０が直流電源を供給する場合、リレーは、電流方向による遮断容量と遮断回数が制限され得る。これにより、本発明の第２の遮断大きさは、リレーの遮断容量によって決定されてもよい。
【００３３】
さらに図４を参照すれば、後述する初期充電リレー１４１がオフ状態である場合、第１リレー１３１及び第２リレー１３２のうち少なくとも一つのリレーがオフ状態であれば、電源部２１０とＤＣリンクキャパシタ１１０は、分離され得る。
【００３４】
これにより、リレーの遮断回数を減らすために第１リレー１３１は、電源部２１０から供給される第２の遮断大きさ以上の電流を遮断することができる。一方、第２リレー１３２は、電源部２１０に供給される、すなわち、負荷端２２０から供給される第２の遮断大きさ以上の電流を遮断することができる。
【００３５】
言い換えれば、電源部２１０から供給される電流の大きさが第２の遮断大きさ以上である場合、第１リレー１３１を介してのみ電流を遮断し、電源部２１０へ供給される電流の大きさが第２の遮断大きさ以上である場合、第２リレー１３２を介してのみ電流を遮断することができる。
【００３６】
上述したように、本発明は、電源部２１０で発生した過電流の遮断動作を行うリレーと、負荷端２２０で発生した過電流の遮断動作を行うリレーを互いに異にすることで、リレーの遮断回数を減らすことができる。
【００３７】
さらに図３及び図４を参照すれば、初期充電部１４０は、第１リレー１３１と並列に連結され、電源部２１０から供給される直流電源を用いてＤＣリンクキャパシタ１１０を充電させることができる。
【００３８】
ＤＣリンクキャパシタ１１０が充電されていない場合、負荷端２２０へ供給される電力は、不安定であり得る。これにより、初期充電部１４０は、後述する電力変換部１５０が負荷端２２０に電源を供給する前に、予めＤＣリンクキャパシタ１１０を充電させることができる。
【００３９】
図５は、電源部２１０から供給される直流電源を用いてＤＣリンクキャパシタ１１０を充電する様子を示した図面である。以下では、図３〜図５を参照して、初期充電部１４０がＤＣリンクキャパシタ１１０を充電させる過程を具体的に説明する。
【００４０】
初期充電部１４０は、第１リレー１３１がオフ状態であり、第２リレー１３２がオン状態であれば、電源部２１０から供給される直流電源を用いてＤＣリンクキャパシタ１１０を充電させることができる。前述したように、ＤＣリンクキャパシタ１１０には一定大きさの電圧が貯蔵され得るし、ここで一定大きさは、電源部２１０から供給される直流電圧より小さくてもよい。
【００４１】
これにより、図４に示したように、初期充電部１４０は、電源部２１０から供給される直流電源を断続する初期充電リレー１４１、及び電源部２１０から供給される直流電源を降下する初期充電抵抗１４２、とを含んでいてもよい。  
【００４２】
ここで、初期充電リレー１４１も第１リレー１３１及び第２リレー１３２のように、内部に電磁石（例えば、コイル）を含んでいてもよく、電磁石で発生する磁場によってオン／オフされてもよい。電磁石は、制御モジュールで提供される励磁信号により発生するため、初期充電リレー１４１の動作状態は、制御モジュールによって制御されてもよい。
【００４３】
第１リレー１３１及び第２リレー１３２がそれぞれオフ及びオン状態であり、初期充電リレー１４１がオン状態で、後述する電力変換部１５０に電源が印加されていない場合、図４に示した回路は、図５のように示すことができる。
【００４４】
このとき、電源部２１０から供給される直流電源は、初期充電抵抗１４２によって降下して、ＤＣリンクキャパシタ１１０に印加されてもよい。これにより、ＤＣリンクキャパシタ１１０に印加される電圧の大きさは、初期充電抵抗１４２の大きさを調節することで制御されてもよい。
【００４５】
さらに図３及び図４を参照すれば、電力変換部１５０は、上述したＤＣリンクキャパシタ１１０が充電されると、電源部２１０から供給される直流電源を交流電源に変換して負荷端２２０に供給することができる。
【００４６】
図４に示したように、電力変換部１５０は、制御モジュールのＰＷＭ（Ｐｕｌｓｅ Ｗｉｄｔｈ  Ｍｏｄｕｌａｔｉｏｎ）制御に従って、電圧源から供給される直流電源を交流電源に変換することができる。このため、電力変換部１５０は、ＰＷＭ制御に従って、スイッチング動作を行う複数の電力スイッチング素子を含んでいてもよく、スイッチング素子は、例えば、ＩＧＢＴ（Ｉｎｓｕｌａｔｅｄ  Ｇａｔｅ Ｂｉｐｏｌａｒ Ｔｒａｎｓｉｓｔｏｒ）であってもよい。
【００４７】
ＤＣリンクキャパシタ１１０に充電された直流電圧は、電力変換部１５０によって交流電源に変換されて、負荷端２２０に供給されてもよい。ここで負荷端２２０は、電力の利用が行われるシステム（例えば、負荷）と連結されてもよい。
【００４８】
図６は、電源部２１０から供給される直流電源を交流電源に変換して負荷端２２０に供給する様子を示した図面である。以下では、図４及び図６を参照して、電力変換部１５０が負荷端２２０に交流電源を供給する過程を具体的に説明する。
【００４９】
上述したＤＣリンクキャパシタ１１０が充電されると、初期充電リレー１４１は、ターンオフされ、第１リレー１３１は、ターンオンされ得る。
【００５０】
より具体的には、図５に示したように、ＤＣリンクキャパシタ１１０が充電中である場合、初期充電リレー１４１は、オン状態であり、第１リレー１３１は、オフ状態であってもよい。
【００５１】
このとき、制御モジュールは、ＤＣリンクキャパシタ１１０の電圧を測定し、測定された電圧が一定電圧に到逹すれば、初期充電リレー１４１に提供される励磁信号を遮断し、第１リレー１３１に励磁信号を提供することができる。これにより、初期充電リレー１４１は、ターンオフされ、第１リレー１３１は、ターンオンされてもよい。
【００５２】
初期充電リレー１４１がオフ状態となり、第１リレー１３１及び第２リレー１３２がオン状態となると、図４に示した回路は、図６のように示すことができる。電力変換部１５０は、ＤＣリンクキャパシタ１１０に貯蔵された直流電圧を３相交流電源に変換して負荷端２２０へ供給することができる。
【００５３】
さらに図４〜図６を参照して、前述した内容をまとめると、先に初期充電リレー１４１及び第２リレー１３２がターンオンされ、第１リレー１３１がターンオフされて、電源部２１０から供給される直流電源を用いてＤＣリンクキャパシタ１１０を充電させる。
【００５４】
ＤＣリンクキャパシタ１１０が充電されると、初期充電リレー１４１は、ターンオフされ、第１リレー１３１がターンオンされて、電力変換部１５０は、ＰＷＭスイッチング制御によって電源部２１０から供給される直流電源を交流電源に変換して負荷端２２０に供給する。
【００５５】
一方、本発明は、電力変換部１５０と負荷端２２０の間に直列に連結され、負荷端２２０から供給される第３の遮断大きさ以上の電流を遮断するＡＣヒューズ部（未図示）をさらに含んでいてもよい。
【００５６】
ここで、第３の遮断大きさは、ＡＣヒューズ部を構成する各ヒューズの遮断特性によって決定され得るが、遮断特性については後述する。
【００５７】
ＡＣヒューズ部は、１つ以上のＡＣヒューズを含んでいてもよい。より具体的には、ＡＣヒューズ部は、図４に示した電力変換部１５０の出力端と負荷端２２０の間に連結される３つのＡＣヒューズを含んでいてもよい。
【００５８】
例えば、ＡＣヒューズは、電力変換部１５０と負荷端２２０を連結するＵ相、Ｖ相、Ｗ相それぞれに位置してもよい。各ＡＣヒューズは、一定大きさ以上の交流電流が流れる場合、該電流によって発生する熱により切れ得る。これにより、各ＡＣヒューズは、ＡＣヒューズを介して流れる交流電流が第３の遮断大きさ以上であれば、切れ得る。
【００５９】
前述したように、電源部２１０から出力される過電流は、ヒューズ部１２０及びリレー部１３０によって遮断されるため、ＡＣヒューズ部が遮断する交流電流は、負荷端から供給される過電流であってもよい。
【００６０】
図７は、本発明の一実施形態によるヒューズとリレーの遮断特性（Ｔｉｍｅ−Ｃｕｒｒｅｎｔ  Ｃｕｒｖｅ）を示したグラフである。以下では、図４、図６及び図７を参照して、ヒューズ及びリレーの遮断特性に基づいて、ヒューズ部１２０及びリレー部１３０が過電流を遮断する過程を具体的に説明する。
【００６１】
前述したように、ヒューズ部１２０は、第１の遮断大きさ以上の電流を遮断することができ、リレー部１３０は、第２の遮断大きさ以上の電流を遮断することができる。このとき、第１の遮断大きさは、ヒューズ部１２０の遮断特性によって決定され、第２の遮断大きさは、リレー部１３０の遮断特性によって決定されてもよい。
【００６２】
図７を参照すれば、ヒューズとリレーの遮断特性は、電流の大きさによる遮断時間に対するグラフで示すことができる。ヒューズとリレーの遮断特性グラフを参照すれば、ヒューズとリレーが遮断する電流の大きさは、一定でなくてもよい。言い換えれば、前述した第１の遮断大きさ及び第２の遮断大きさは、特定の大きさではなく、遮断時間に対応して変わる大きさであってもよい。
【００６３】
例えば、リレーの遮断特性曲線を参照すれば、第２の遮断大きさが１００［Ａ］である場合、リレーは、該電流を最小１０［ｓｅｃ］に遮断することができ（Ａ１）、第２の遮断大きさが１０００［Ａ］である場合、リレーは、該電流を最小１［ｓｅｃ］に遮断することができる（Ａ２）。
【００６４】
言い換えれば、リレーに１００［Ａ］の電流が１０秒以上流れると、リレーは、１００［Ａ］の電流を遮断することができる。また、リレーに１０００［Ａ］の電流が１秒以上流れると、リレーは、１０００［Ａ］の電流を遮断することができる。これにより、図７に示した各遮断特性グラフの右上端領域は、遮断領域であってもよい。
【００６５】
本発明は、遮断特性を異にするリレーとヒューズを共に用いることで、保護協助（ｐｒｏｔｅｃｔｉｏｎ  ｃｏｏｒｄｉｎａｔｉｏｎ）機能を行うことができる。
【００６６】
より具体的には、図７に示したように、本発明のヒューズとリレーの組み合わせによる遮断領域は、従来の直流遮断器（Ｄｉｒｅｃｔ  Ｃｕｒｒｅｎｔ Ｃｉｒｃｕｉｔ Ｂｒｅａｋｅｒ；ＤＣＣＢ）の遮断領域を全て含んでいてもよい。
【００６７】
これにより、本発明は、従来の直流遮断器によって遮断される領域の全電流を遮断できるだけでなく、従来の直流遮断器より早く電流を遮断することができる。
【００６８】
前述したように、図４に示した初期充電リレー１４１がオフ状態であり、第１リレー１３１及び第２リレー１３２がオン状態であれば、図６に示したように、電源部２１０から供給される直流電源は、交流電源に変換されて負荷端２２０へ供給されてもよい。
【００６９】
このとき、直列に連結された第１ヒューズ１２１と第１リレー１３１に流れる電流の大きさは、同一であってもよい。また、直列に連結された第２ヒューズ１２２と第２リレー１３２に流れる電流の大きさは、同一であってもよい。
【００７０】
電源部２１０から出力されるか負荷端２２０から供給される過電流により、第１ヒューズ１２１と第１リレー１３１に１００［Ａ］の電流が流れる場合、図７に示したように、リレーの遮断時間がヒューズの遮断時間より早いため、該電流が流れた後、１０秒が経つと、リレーが該電流を遮断することができる（Ａ１）。
【００７１】
これと違って、電源部２１０から出力されるか負荷端２２０から供給される過電流により、第１ヒューズ１２１と第１リレー１３１に１０００［Ａ］の電流が流れる場合、図７に示したように、ヒューズの遮断時間がリレーの遮断時間より早いため、該電流が流れた後、０．１秒が経つと、ヒューズが該電流を遮断することができる（Ｂ）。
【００７２】
一方、前述したように、第１ヒューズ１２１及び第１リレー１３１は、電源部２１０から出力される過電流のみを遮断し、第２ヒューズ１２２及び第２リレー１３２は、負荷端２２０から出力される過電流のみを遮断することができる。
【００７３】
この場合、電源部２１０から過電流が出力されると、第１ヒューズ１２１及び第１リレー１３１のみが上述した保護協助機能を行うことができる。これと違って、負荷端２２０から過電流が出力されると、第２ヒューズ１２２及び第２リレー１３２のみが上述した保護協助機能を行うことができる。
【００７４】
要約すると、負荷端２２０又は電源部２１０に異常が発生して過電流が発生した場合、従来の直流遮断器による電流遮断動作は、リレー部１３０とヒューズ部１２０の保護協助によって具現することができる。
【００７５】
より具体的には、前述したように、電源部２１０で過電流が発生した場合、第１ヒューズ１２１及び第１リレー１３１の保護協助によって電流遮断動作を行うることができ、負荷端２２０で過電流が発生した場合、第２ヒューズ１２２及び第２リレー１３２の保護協助によって電流遮断動作を行うことができる。
【００７６】
上述したように、本発明は、遮断特性を互いに異にするヒューズとリレーを用いて従来の直流遮断器を取り替えることにより、回路を構成するための費用を減らすことができ、回路のサイズを減らすことができる。
【００７７】
前述した本発明は、本発明が属する技術分野における通常の知識を有する者にとって、本発明の技術的思想を脱しない範囲内で様々な置換、変形及び変更が可能であるため、前述した実施形態及び添付の図面によって限定されるものではない。
【図１】
0006884922.tif 000002
【図２】
0006884922.tif 000003
【図３】
0006884922.tif 000004
【図４】
0006884922.tif 000005
【図５】
0006884922.tif 000006
【図６】
0006884922.tif 000007
【図７】
0006884922.tif 000008